(57)【特許請求の範囲】
【請求項１】
駆動本体に連結された指針と、電気信号に応じて各種情報を表示する矩形の表示部材と、この表示部材の前方に重ねて配置され当該表示部材を視認可能とする窓部を有すると共に透光性の表示部が前記窓部の周囲に複数形成されてなる表示板と、少なくとも前記表示部を前記表示板の背後から照明する光源とを備えてなる指示計器において、前記表示部材の４つの辺のうち、所定の第１の辺から前記窓部までの間隔が前記第１の辺に対向する第２の辺から前記窓部までの間隔よりも小さく且つ前記表示部材と前記表示部とが厚み方向にオーバーラップしないように前記表示部材と前記表示板とを重ねてなることを特徴とする指示計器。
【請求項２】
前記表示部が前記窓部の周囲を取り巻くように円弧状に配置されてなり、前記指針の最小指示値に対応する前記表示部と、前記指針の最大指示値に対応する前記表示部との間に、前記表示部材の幅より大きく且つ前記表示部が形成されない空白エリアを有し、前記窓部を挟んで前記空白エリアの反対側に前記第１の辺を位置させた状態で前記表示部材の一部を前記空白エリアに重ねてなることを特徴とする請求項１記載の指示計器。
【発明の詳細な説明】
【技術分野】
【０００１】
本発明は、例えば自動車やオートバイに搭載される指示計器に関し、特に指針の指示対象となる透光性の表示部の内側に透視部が形成され、この透視部を通してフラットディスプレイパネルからなる表示部材を視認可能に設けた指示計器に関する。
【背景技術】
【０００２】
この種の指示計器として例えば下記特許文献１に記載されたものが知られている。この指示計器は、ステッピングモータ等の駆動本体に連結された指針と、電気信号に応じて各種情報を表示する液晶パネルからなる表示部材と、この表示部材の前方に重ねて配置され当該表示部材を視認可能とする窓部を有すると共に指針の指示対象となる透光性の表示部が窓部の周囲に複数形成されてなる表示板と、表示部を表示板の背後から照明する光源とを備えている。
【０００３】
表示板の窓部は、円形に形成され、この円形の窓部を通して表示部材に表示される情報を視認できるように構成されている。
【０００４】
表示部材は、矩形パネルの一部が窓部の円形形状に合わせてカットされており、このように円形にカットした表示部材を用いることで、窓部と表示部との距離を適正に保った状態で表示部材と表示部との重なりを防ぐことにより、表示部を照明するための光が表示部材によって遮断もしくは減衰されないようにしている。
【先行技術文献】
【特許文献】
【０００５】
【特許文献１】特開２００８−０１４９３１号公報
【発明の開示】
【発明が解決しようとする課題】
【０００６】
しかしながら、前記特許文献１に記載の指示計器は、窓部の形状に合わせて加工を施した表示部材を使用するため、コストが高くなるという問題がある。一方、加工を施さない矩形パネルを用いる場合は、表示部と表示部材とが重ならないように表示部と窓部との間隔を大きくせざるを得なかった。
【０００７】
そこで、本発明は前述した問題点に着目し、コストダウンを達成できる指示計器を提供することを目的とする。
【課題を解決するための手段】
【０００８】
本発明は、駆動本体に連結された指針と、電気信号に応じて各種情報を表示する矩形の表示部材と、この表示部材の前方に重ねて配置され当該表示部材を視認可能とする窓部を有すると共に透光性の表示部が前記窓部の周囲に複数形成されてなる表示板と、少なくとも前記表示部を前記表示板の背後から照明する光源とを備えてなる指示計器において、前記表示部材の４つの辺のうち、所定の第１の辺から前記窓部までの間隔が前記第１の辺に対向する第２の辺から前記窓部までの間隔よりも小さく且つ前記表示部材と前記表示部とが厚み方向にオーバーラップしないように前記表示部材と前記表示板とを重ねてなることを特徴とする。
このように構成したことにより、表示部材を特別な形状に加工しなくとも表示部材の影響を受けることなく表示部を照明できるため、コストダウンを達成することができる。
【０００９】
また本発明は、前記表示部が前記窓部の周囲を取り巻くように円弧状に配置されてなり、前記指針の最小指示値に対応する前記表示部と、前記指針の最大指示値に対応する前記表示部との間に、前記表示部材の幅より大きく且つ前記表示部が形成されない空白エリアを有し、前記窓部を挟んで前記空白エリアの反対側に前記第１の辺を位置させた状態で前記表示部材の一部を前記空白エリアに重ねてなることを特徴とする。
このように構成したことにより、表示部材において第１の辺とは反対側で窓部からの距離が第１の辺よりも長くなる第２の辺側を表示板の空白エリアに配置できるため、表示部材と表示部との重なりを効果的に防止することができる。
【発明の効果】
【００１０】
本発明によれば、コストダウンを達成できる指示装置を提供することができる。
【図面の簡単な説明】
【００１１】
【図１】本発明の第１の実施形態による指示計器の正面図。
【図２】図１のＡ−Ａ断面図（ハッチング省略）。
【図３】本発明の第２の実施形態による指示計器の正面図。
【図４】本発明の第３の実施形態による指示計器の正面図。
【発明を実施するための形態】
【００１２】
（第１の実施形態）
本発明の第１の実施形態による指示計器は、図１、図２に示すように、回路基板１と、駆動本体２と、指針３と、表示部材４と、表示板５と、導光体６と、光源基板７と、ホルダ８とから構成されている。
【００１３】
回路基板１は、例えばガラスエポキシ系材料からなる硬質の一枚基板かならなり、駆動本体２や指針３を発光させるための第１の光源Ｌ１、表示部材４を動作させるに必要な回路パターン及び回路素子が設けられている。なお第１の光源Ｌ１は例えば発光ダイオードからなる。
【００１４】
駆動本体２は、例えばステッピングモータからなり、指針３と連結される指針軸２１が回路基板４１貫通するように取り付けられ、回路基板１を通じてその動作が制御される。
【００１５】
指針３は、表示部材４の背後からその側方を迂回して表示板５上に至る略「コ」字状の折れ曲がり指針からなり、透光性合成樹脂を用いて２分割形成されている。またこの指針３は遮光性を有する指針カバー３１にて部分的に覆われている。
【００１６】
表示部材４は、例えば一対のガラス基板間に液晶分子を封入した例えばＳＴＮまたはＤＳＴＮ方式の液晶パネルからなり、その形状は矩形である。なお例えばＴＦＴ方式の液晶パネルを用いる場合は、液晶パネルやバックライト、回路基板等をケースを通じて一体化してなるモジュールを表示部材として指示計器に組み込んでもよい。また表示部材４としては、有機ＥＬや蛍光表示管等、他の表示素子を適用できる。
【００１７】
この表示部材４は、その一辺に表示駆動ＩＣ４１と可撓性回路基板からなる通電部材４２とを備え、この通電部材４２を通じて回路基板１と接続され、電気信号に応じて例えば車両情報（走行距離や外気温等）、オーディオ情報、ナビゲーション情報等の各種情報をドットマトリクス形式あるいはセグメント形式にて表示する。なお図１中、破線BLは、表示部材４において情報表示が可能な有効表示範囲を示すが、この有効表示範囲中、後述する窓部対応部分以外には必ずしも液晶分子を封入しなくともよい。
【００１８】
表示板５は、透光性合成樹脂板に各種印刷を施して遮光性の地部５１と透光性の表示部５２とを形成してなる周知の印刷パネルであり、例えば地部５１は黒色、表示部５２は白色としてある。
【００１９】
表示部５２は、指針３の指示対象となる数字（目盛は省略）と、前記数字の単位を示す「ｍｐｈ」からなる（前記数字の）関連表示からなり、後述する窓部を取り巻くようにその周囲に円弧状に複数形成されている。
【００２０】
表示板５は、また表示部材４の前記有効表示範囲を部分的に露出するように表示部材４の前方に重ねて配置されるもので、表示部材４に対応する箇所には表示部材４に表示される各種情報を視認可能とする開口部からなる円形の窓部５３を備えている。なお窓部５３は、表示部材４の各種情報を視認できれば開口部ではなく、透明部であってもよい。
【００２１】
導光体６は、例えば透光性合成樹脂からなり、表示部材４及び表示板５の背面に沿って配置され、後述する第２の光源（光源）Ｌ２からの光を表示部材４及び表示板４に導いて窓部５３から視認される表示部材４エリアと表示部５２とを照明する。
【００２２】
光源基板７は、導光体６の側面に対向して配置される硬質の回路基板であり、導光体６を通じて表示部材４及び表示板５を照明するための例えば発光ダイオードからなる第２の光源Ｌ２を搭載している。
【００２３】
ホルダ８は、例えば乳白色の合成樹脂からなり、表示部材４と表示板５と導光体６と光源基板７とを保持している。
【００２４】
次に表示部材４と表示板５との位置関係について詳しく説明する。
表示部材４は、前記のごとく矩形であるため、全部で４つの辺Ｓ１〜Ｓ４を有する。このうち図１中、上下に対向する第１の辺Ｓ１と第２の辺Ｓ２は、左右に対向する第３の辺Ｓ３と第４の辺Ｓ４に対して短辺を構成し、第３の辺Ｓ３と第４の辺Ｓ４は第１の辺Ｓ１と第２の辺Ｓ２に対して長辺を構成するため、本実施形態の表示部材４は、図１中、縦に長い長方形である。
【００２５】
これら４辺Ｓ１〜Ｓ４のうち、第１の辺Ｓ１から窓部５３までの間隔（第１の辺Ｓ１と窓部５３において第１の辺Ｓ１に最も近い第１の箇所Ｐ１との間隔）Ｄ１が第１の辺Ｓ１に対向する第２の辺Ｓ２から窓部５３までの間隔（第２の辺Ｓ２と窓部５３において第２の辺Ｓ２に最も近い第２の箇所Ｐ２との間隔）Ｄ２よりも小さくなるように表示部材４と表示板５とが重なっている。
【００２６】
このように第１の辺Ｓ１から窓部５３までの間隔Ｄ１を第２の辺Ｓ２から窓部５３までの間隔Ｄ２よりも小さくしなるように窓部５３に対して表示部材４を図１中、下方にずらして配置したことにより、表示部材４の上側が複数の表示部５２中、「ｍｐｈ」、「６０」、「１００」からなる表示部５２に対して互いの厚み方向にオーバーラップしないように構成している。
【００２７】
この点、例えば間隔Ｄ１と間隔Ｄ２と等間隔にした場合は、表示部材４の上側が「ｍｐｈ」、「６０」、「８０」、「１００」からなる表示部５２にオーバーラップしてしまう。
【００２８】
また本実施形態では、表示部５２が窓部５３の周囲を取り巻くように略等間隔に円弧状に配置されているが、図１中、窓部５３の下方に位置する領域は間隔が広く空いている。すなわち指針３の最小指示値に対応する「０」からなる表示部５２と、指針３の最大指示値に対応する「１６０」からなる表示部５２との間には、表示部材の幅（図１中、横幅）より大きく且つ表示部５２が形成されない空白エリア５４が設けられ、窓部５３を挟んで空白エリア５４の反対側に第１の辺Ｓ１を位置させた状態で表示部材４の一部（窓部５３を挟んで第１の辺Ｓ１とは反対側）を空白エリア５４に重ねてなることにより、表示部材４において第１の辺Ｓ１とは反対側で窓部５３からの距離（間隔Ｄ２）が第１の辺Ｓ１から窓部５３までの間隔Ｄ１よりも長くなる第２の辺Ｓ２側を表示板５の空白エリア５４に配置できるため、特に長方形の表示部材４を用いた場合に、表示部材４と表示部５２との重なりを効果的に防止している。
【００２９】
以上のように本実施形態では、駆動本体２に連結された指針３と、電気信号に応じて各種情報を表示する矩形の表示部材４と、この表示部材４の前方に重ねて配置され当該表示部材４を視認可能とする窓部５３を有すると共に透光性の表示部５２が窓部５３の周囲に複数形成されてなる表示板５と、少なくとも表示部５２を表示板５の背後から照明する光源Ｌ２とを備えてなる指示計器において、表示部材４の４つの辺のうち、所定の第１の辺Ｓ１から窓部５３までの間隔Ｄ１が第１の辺Ｓ１に対向する第２の辺Ｓ２から窓部５３までの間隔Ｄ２よりも小さく且つ表示部材４と表示部５２とが厚み方向にオーバーラップしないように表示部材４と表示板５とを重ねてなることにより、表示部材４を特別な形状に加工しなくとも、表示部材４の影響を受けることなく、表示部５２を照明できるため、コストダウンを達成することができる。
【００３０】
なお本実施形態では、表示素子（液晶パネル）それ自体を表示部材４としたが、例えばＴＦＴ方式の液晶パネルを組み込んだ図示しないモジュールを表示部材４として指示計器に組み込む場合、液晶パネルの外形ではなく、モジュール全体の外形を第１〜第４の辺として設定すればよい。
【００３１】
また本実施形態では、表示部５２が窓部５３の周囲を取り巻くように円弧状に配置されてなり、指針３の最小指示値に対応する表示部５２と、指針３の最大指示値に対応する表示部５２との間に、表示部材４の幅より大きく且つ表示部５２が形成されない空白エリア５４を有し、窓部５３を挟んで空白エリア５４の反対側に第１の辺Ｓを位置させた状態で表示部材４の一部を空白エリア５４に重ねてなることにより、表示部材４において第１の辺Ｓ１とは反対側で窓部５３からの距離が第１の辺Ｓ１よりも長くなる第２の辺Ｓ２側を表示板５の空白エリア５４に配置できるため、表示部材４と表示部５２との重なりを効果的に防止することができる。
【００３２】
また本実施形態では、表示駆動ＩＣ４１と、通電部材４２とを第２の辺Ｓ２側に設けたことにより、表示部材４の表示駆動ＩＣ４１や通電部材４２が表示板５の照明に及ぼす影響を最小限に抑えることができる。
（第２の実施形態）
【００３３】
本発明の第２の実施形態による指示計器は、表示駆動ＩＣ４１と通電部材４２との配置位置だけが前記第１の実施形態と異なっている。
【００３４】
すなわち、表示駆動ＩＣ４１と通電部材４２は、表示部材４の第３の辺Ｓ３側に配置されている。この際、通電部材４２は、表示部５２に向かう第２の光源Ｌ２からの光をブロックしないように引き回されている。
【００３５】
このように構成することによって前記第１の実施形態と同様の効果を期待できる。
【００３６】
（第３の実施形態）
本発明の第２の実施形態による指示計器は、表示部５２の配列形状と窓部５３の形状が前記第１，第２の実施形態とは異なっている。
【００３７】
すなわち、表示部５２は、半楕円形に配列されており、その中央に形成される窓部は横長の長方形に形成されている。
【００３８】
このように構成することによって前記第１，第２の実施形態と同様の効果を期待できる。
【００３９】
なお窓部５３の形状は、台形や楕円等、任意の形状を採用できる。
【符号の説明】
【００４０】
１  回路基板
２  駆動本体
３  指針
４  表示部材
５  表示板
６  導光体
７  光源基板
８  ホルダ
３１  指針カバー
４１  表示駆動ＩＣ
４２  通電部材
５１  地部
５２  表示部
５３  窓部
５４  空白エリア
ＢＬ  破線
Ｄ１，Ｄ２  間隔
Ｌ１  第１の光源
Ｌ２  第２の光源
Ｓ１〜Ｓ４  第１〜第４の辺
【図１】
0005382532.tif 000002
【図２】
0005382532.tif 000003
【図３】
0005382532.tif 000004
【図４】
0005382532.tif 000005